(57)【要約】【課題】表示光量を容易且つ高精度に判断することができる技術を提供する。【解決手段】本発明の情報処理装置は、表示部の画面の表示光量を基準目標光量に基づいて制御する第１制御を行い、第１制御が行われた状態において表示光量が他の領域と異なる領域を画面の領域から選択する選択操作の結果を取得し、選択操作の結果に基づいて、選択操作によって選択された領域である選択領域と、選択操作によって選択されなかった領域である非選択領域との少なくとも一方の目標光量を変更する第２制御を行い、第２制御が行われた状態において選択領域の表示光量が非選択領域の表示光量に応じた光量であるか否かに関する指定を行う指定操作の結果を取得し、第２制御による変更後の目標光量と、指定操作の結果とに基づいて、選択領域の表示光量を判断する。【選択図】図１
2017142417.tif 000002
【特許請求の範囲】
【請求項１】
表示部の発光量である表示光量を制御する制御手段と、
前記表示光量が他の領域と異なる領域を前記表示部の画面の領域から選択するユーザー操作である選択操作の結果を取得する第１取得手段と、
前記選択操作によって選択された領域である選択領域の表示光量が、前記選択操作によって選択されなかった領域である非選択領域の表示光量に応じた光量であるか否かに関する指定を行うユーザー操作である指定操作の結果を取得する第２取得手段と、
前記選択領域の表示光量を判断する判断手段と、
を有し、
前記制御手段は、前記画面の表示光量を、予め定められた目標光量である基準目標光量に基づいて制御する第１制御を行い、
前記第１取得手段は、前記第１制御が行われた状態に基づく選択操作の結果を取得し、
前記制御手段は、前記選択操作の結果に基づいて、前記選択領域と前記非選択領域の少なくとも一方の目標光量を変更する第２制御を行い、
前記第２取得手段は、前記第２制御が行われた状態に基づく指定操作の結果を取得し、
前記判断手段は、前記第２制御による変更後の目標光量と、前記指定操作の結果とに基づいて、前記選択領域の表示光量を判断する
ことを特徴とする情報処理装置。
【請求項２】
前記第２制御は、前記選択領域と前記非選択領域の少なくとも一方の目標光量を繰り返し変更する制御を含む
ことを特徴とする請求項１に記載の情報処理装置。
【請求項３】
前記第２制御は、前記非選択領域における複数の部分領域にそれぞれ対応する複数の目標光量として、互いに異なる複数の目標光量を設定する制御を含み、
前記指定操作は、前記複数の部分領域の中から、表示光量が前記選択領域の表示光量に最も近い部分領域を選択するユーザー操作である
ことを特徴とする請求項１または２に記載の情報処理装置。
【請求項４】
前記第２制御は、前記非選択領域の目標光量を変更する制御であり、
前記判断手段は、
前記第２制御による変更後の目標光量と、前記指定操作の結果とに基づいて、前記選択領域の目標光量が前記第１制御の目標光量であり、且つ、前記選択領域の表示光量が前記非選択領域の表示光量に応じた光量である状態における、前記非選択領域の目標光量を判断し、
前記第１制御の目標光量に対応する前記選択領域の表示光量が、判断した前記非選択領域の目標光量に応じた光量である、と判断する
ことを特徴とする請求項１〜３のいずれか１項に記載の情報処理装置。
【請求項５】
前記第２制御は、前記選択領域の目標光量を変更する制御であり、
前記判断手段は、
前記第２制御による変更後の目標光量と、前記指定操作の結果とに基づいて、前記非選択領域の目標光量が前記第１制御の目標光量であり、且つ、前記選択領域の表示光量が前記非選択領域の表示光量に応じた光量である状態における、前記選択領域の目標光量を判断し、
前記第１制御の目標光量に対応する前記選択領域の表示光量が、判断した目標光量と前記第１制御の目標光量と差に基づいて前記第１制御の目標光量を変更した光量に応じた光量である、と判断する
ことを特徴とする請求項１または２に記載の情報処理装置。
【請求項６】
前記表示部は、発光部と、発光部からの光を透過する表示パネルとを有し、
前記制御手段は、前記発光部の発光量と、前記表示パネルの透過率との少なくとも一方を制御することにより、前記表示光量を制御する
ことを特徴とする請求項１〜５のいずれか１項に記載の情報処理装置。
【請求項７】
前記表示パネルは、前記発光部からの光を透過する複数の表示素子を有し、
前記第１制御により、各表示素子の透過率が同じ駆動信号で制御される
ことを特徴とする請求項６に記載の情報処理装置。
【請求項８】
前記第１制御により、前記表示パネルの透過率が下限値に制御される
ことを特徴とする請求項６または７に記載の情報処理装置。
【請求項９】
前記第１制御の目標光量は、前記基準目標光量よりも多く、
前記第１制御により、前記基準目標光量に応じた発光量よりも多い発光量に、前記発光部の発光量が制御される
ことを特徴とする請求項６〜８のいずれか１項に記載の情報処理装置。
【請求項１０】
前記第１制御の目標光量は、前記基準目標光量である
ことを特徴とする請求項１〜８のいずれか１項に記載の情報処理装置。
【請求項１１】
前記基準目標光量は、目標光量の下限値である
ことを特徴とする請求項１〜１０のいずれか１項に記載の情報処理装置。
【請求項１２】
前記表示光量と、前記表示部の発光輝度である表示輝度との対応関係が予め定められており、
前記判断手段は、前記選択領域の表示光量の判断結果に基づいて、前記選択領域の表示輝度を判断する
ことを特徴とする請求項１〜１１のいずれか１項に記載の情報処理装置。
【請求項１３】
前記表示光量と、前記表示部の発光色である表示色との対応関係が予め定められており、
前記判断手段は、前記選択領域の表示光量の判断結果に基づいて、前記選択領域の表示色を判断する
ことを特徴とする請求項１〜１２のいずれか１項に記載の情報処理装置。
【請求項１４】
前記非選択領域の表示光量に応じた前記光量は、前記非選択領域の表示光量に略一致する光量である
ことを特徴とする請求項１〜１３のいずれか１項に記載の情報処理装置。
【請求項１５】
表示部の発光量である表示光量を判断する光量判断方法であって、
前記表示部の画面の表示光量を、予め定められた目標光量である基準目標光量に基づいて制御する第１制御を行うステップと、
前記第１制御が行われた状態において前記表示光量が他の領域と異なる領域を前記画面の領域から選択するユーザー操作である選択操作の結果を取得するステップと、
前記選択操作の結果に基づいて、前記選択操作によって選択された領域である選択領域と、前記選択操作によって選択されなかった領域である非選択領域との少なくとも一方の目標光量を変更する第２制御を行うステップと、
前記第２制御が行われた状態において前記選択領域の表示光量が前記非選択領域の表示光量に応じた光量であるか否かに関する指定を行うユーザー操作である指定操作の結果を
取得するステップと、
前記第２制御による変更後の目標光量と、前記指定操作の結果とに基づいて、前記選択領域の表示光量を判断するステップと、
を有することを特徴とする光量判断方法。
【請求項１６】
請求項１５に記載の光量判断方法の各ステップをコンピュータに実行させることを特徴とするプログラム。
【発明の詳細な説明】
【技術分野】
【０００１】
本発明は、情報処理装置および光量判断方法に関する。
【背景技術】
【０００２】
近年、画像表示装置に対して、表示画像（画面に表示された画像）の忠実性の向上が望まれている。しかしながら、画像表示装置では、様々な要因により表示画像の忠実性が低下する。例えば、画像表示装置の表示ムラは、表示画像の忠実性の低下を招く。表示ムラは、画面の面内方向におけるムラである。表示ムラには、表示光量（画面の光量；画像表示装置の発光量）のムラである光量ムラ、表示輝度（画面の輝度；画像表示装置の発光輝度）のムラである輝度ムラ、表示色（画面の色；画像表示装置の発光色）のムラである色ムラ、等がある。表示ムラが存在する場合には、同じ画像データに基づいて画像が表示されたとしても、画像が表示された位置（表示位置）に依って、画像の見えが変化する（忠実性の低下）。
【０００３】
画像表示装置として、液晶パネルとバックライトモジュール（発光部）を有する液晶表示装置が知られている。液晶表示装置では、例えば、液晶パネルが有する複数の液晶素子の間で液晶素子の電極（素子電極）の太さが不均一である場合がある。素子電極の太さの不均一は、液晶パネルの透過特性（液晶素子を駆動する駆動信号と、液晶素子の透過率との対応関係など）のムラを招き、液晶表示装置の表示ムラを招く。
【０００４】
そこで、画像表示装置の表示ムラを検出する技術として、特許文献１に開示の技術が提案されている。特許文献１には、画像表示装置の画面を撮像することにより撮像画像を取得する撮像部と、撮像画像に基づいて表示ムラを検出する検出部とを有する検査装置が開示されている。
【０００５】
表示ムラは変化するため、表示ムラの検査は定期的に行われることが好ましい。例えば、液晶表示装置では、液晶表示装置の使用環境の変化、時間の経過、等によって、液晶素子にかかる応力の変化などが発生する。そして、液晶素子にかかる応力の変化などによって、液晶素子が有する偏光板の光軸と、液晶素子が有する液晶の光軸との間のずれが生じる。光軸のずれにより、液晶パネルの透過特性のムラが変化し、液晶表示装置の表示ムラが変化する。このような表示ムラの変化は、暗い画像を表示する場合に特に目立つ。
【０００６】
画像表示装置として、駆動信号の供給に応じて発光する自発光素子を表示素子として有する装置も知られている。例えば、有機ＥＬ素子を表示素子として有する有機ＥＬ表示装置（ｏｒｇａｎｉｃ  ｅｌｅｃｔｒｏｌｕｍｉｎｅｓｃｅｎｃｅ  ｄｉｓｐｌａｙ）が知られている。このような画像表示装置では、表示素子の総発光時間の増加によって、表示ムラが発生したり変化したりする。
【０００７】
しかしながら、特許文献１に開示されているような検査装置をユーザーが持っていない場合があり、そのようなユーザーは、表示光量の検査、表示ムラの検査、等を定量的に行うことができない。また、特許文献１に開示の検査装置では、画面からの光とは異なる光が撮像部に入射することがある。画面からの光とは異なる光が撮像部に入射すると、正確でない撮像画像（表示光量と大きく異なる光量を表す撮像画像）が得られることがある。正確でない撮像画像が得られた場合には、表示ムラを高精度に検出することはできない。そして、正確な撮像画像（表示光量を高精度に表す撮像画像）を得るためには、撮像部と画像表示装置の位置関係の工夫、撮像環境の工夫、補助部材の使用、等が必要となる。そのため、特許文献１に開示されているような検査装置をユーザーが持っていたとしても、
表示光量の検査、表示ムラの検査、等を高精度に行うことは容易ではない。
【先行技術文献】
【特許文献】
【０００８】
【特許文献１】特開２０１５−８７５２９号公報
【発明の概要】
【発明が解決しようとする課題】
【０００９】
本発明は、表示光量を容易且つ高精度に判断することができる技術を提供することを目的とする。
【課題を解決するための手段】
【００１０】
本発明の第１の態様は、
表示部の発光量である表示光量を制御する制御手段と、
前記表示光量が他の領域と異なる領域を前記表示部の画面の領域から選択するユーザー操作である選択操作の結果を取得する第１取得手段と、
前記選択操作によって選択された領域である選択領域の表示光量が、前記選択操作によって選択されなかった領域である非選択領域の表示光量に応じた光量であるか否かに関する指定を行うユーザー操作である指定操作の結果を取得する第２取得手段と、
前記選択領域の表示光量を判断する判断手段と、
を有し、
前記制御手段は、前記画面の表示光量を、予め定められた目標光量である基準目標光量に基づいて制御する第１制御を行い、
前記第１取得手段は、前記第１制御が行われた状態に基づく選択操作の結果を取得し、
前記制御手段は、前記選択操作の結果に基づいて、前記選択領域と前記非選択領域の少なくとも一方の目標光量を変更する第２制御を行い、
前記第２取得手段は、前記第２制御が行われた状態に基づく指定操作の結果を取得し、
前記判断手段は、前記第２制御による変更後の目標光量と、前記指定操作の結果とに基づいて、前記選択領域の表示光量を判断する
ことを特徴とする情報処理装置である。
【００１１】
本発明の第２の態様は、
表示部の発光量である表示光量を判断する光量判断方法であって、
前記表示部の画面の表示光量を、予め定められた目標光量である基準目標光量に基づいて制御する第１制御を行うステップと、
前記第１制御が行われた状態において前記表示光量が他の領域と異なる領域を前記画面の領域から選択するユーザー操作である選択操作の結果を取得するステップと、
前記選択操作の結果に基づいて、前記選択操作によって選択された領域である選択領域と、前記選択操作によって選択されなかった領域である非選択領域との少なくとも一方の目標光量を変更する第２制御を行うステップと、
前記第２制御が行われた状態において前記選択領域の表示光量が前記非選択領域の表示光量に応じた光量であるか否かに関する指定を行うユーザー操作である指定操作の結果を取得するステップと、
前記第２制御による変更後の目標光量と、前記指定操作の結果とに基づいて、前記選択領域の表示光量を判断するステップと、
を有することを特徴とする光量判断方法である。
【００１２】
本発明の第３の態様は、上述した光量判断方法の各ステップをコンピュータに実行させることを特徴とするプログラムである。
【発明の効果】
【００１３】
本発明によれば、表示光量を容易且つ高精度に判断することができる。
【図面の簡単な説明】
【００１４】
【図１】本実施形態に係る情報処理装置の構成例
【図２】本実施形態に係る分割領域の一例
【図３】本実施形態に係る透過率、発光量、及び、表示光量の対応関係の一例
【図４】本実施形態に係る透過率、発光量、及び、表示光量の対応関係の一例
【図５】本実施形態に係る透過率、発光量、及び、表示光量の対応関係の一例
【図６】本実施形態に係る情報処理装置の処理フローの一例
【図７】本実施形態に係る第２制御の一例
【図８】本実施形態に係る第２制御の一例
【図９】本実施形態に係る第１制御の一例
【図１０】本実施形態に係るバックライトモジュールの発光量の一例
【発明を実施するための形態】
【００１５】
以下、本発明の実施形態に係る情報処理装置および光量判断方法について説明する。本実施形態に係る情報処理装置としては、例えば、パーソナルコンピュータ（ＰＣ）を使用することができる。なお、以下では、本実施形態に係る情報処理装置が画像表示装置とは別体の装置である例を説明するが、本実施形態に係る情報処理装置は、画像表示装置内に設けられていてもよい。
【００１６】
図１は、本実施形態に係る情報処理装置１００の構成例を示すブロック図である。図１では、情報処理装置１００は画像表示装置１１０に接続されている。情報処理装置１００は、画像表示装置１１０の表示光量（画像表示装置１１０の発光量；画像表示装置１１０の画面から発せられた光の光量）を、情報処理により判断することができる。画像表示装置１１０は、任意の画像を画面に表示することができる。
【００１７】
本実施形態では、画像表示装置として液晶表示装置が使用される例を説明するが、画像表示装置として様々な装置を使用することができる。例えば、発光部と、発光部からの光を透過する表示パネルとを有する他の画像表示装置を使用することができる。具体的には、表示素子として、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを有するＭＥＭＳシャッター方式表示装置を使用することができる。透過型表示装置（発光部と表示パネルを有する画像表示装置；表示パネルが発光部からの光を透過する画像表示装置）では、例えば、発光部と表示パネルの組み合わせを「表示部」と呼ぶことができる。上述した発光部を有さず、且つ、表示素子として自発光素子を有する画像表示装置（自発光型表示装置）を使用することもできる。具体的には、表示素子として有機ＥＬ素子を有する有機ＥＬ表示装置ディスプレイ（ｏｒｇａｎｉｃ  ｅｌｅｃｔｒｏｌｕｍｉｎｅｓｃｅｎｃｅ  ｄｉｓｐｌａｙ）、表示素子としてプラズマ素子を有するプラズマ表示装置（ＰＤＰ；Ｐｌａｓｍａ  Ｄｉｓｐｌａｙ
Ｐａｎｅｌ）、等を使用することができる。自発光型表示装置では、例えば、複数の表示素子（複数の自発光素子）を有する表示パネルを「表示部」と呼ぶことができる。
【００１８】
本実施形態では、まず、情報処理装置１００は、画像表示装置１１０の画面の表示光量を、予め定められた目標光量である基準目標光量に基づいて制御する第１制御を行う。第１制御では、画面の一部の領域の表示光量が基準目標光量に基づいて制御されてもよいが、本実施形態では、画面の全領域の表示光量が基準目標光量に基づいて制御される。そして、情報処理装置１００は、選択操作をユーザーに行わせる。選択操作は、表示光量が他の領域と異なる領域を画面の領域から選択するユーザー操作である。そして、情報処理装置１００は、選択操作の結果を取得する（第１取得）。以後、選択操作によって選択され
た領域を「選択領域」と記載し、選択操作によって選択されなかった領域を「非選択領域」と記載する。本実施形態では、第１制御が行われた状態に基づく選択操作の結果が取得される。具体的には、情報処理装置１００は、第１制御が行われた状態で、選択操作をユーザーに行わせる。そして、情報処理装置１００は、第１制御が行われた状態で行われた選択操作の結果を取得する。
【００１９】
次に、情報処理装置１００は、選択操作の結果に基づいて、選択領域と非選択領域の少なくとも一方の目標光量を変更する第２制御を行う。第２制御により、選択領域と非選択領域の少なくとも一方の表示光量が、変更後の目標光量に応じた目標光量に変化する。本実施形態では、図２に示すように、画像表示装置１１０の画面の領域が、水平方向５個×垂直方向５個の計２５個の分割領域２０１〜２２５によって構成されている。そして、情報処理装置１００は、各分割領域の表示光量を個別に制御することができる。
【００２０】
なお、図２には、マトリクス状に配置された複数の分割領域が示されているが、分割領域の配置は特に限定されない。例えば、千鳥格子状に配置された複数の分割領域により、画面の領域が構成されてもよい。また、分割領域のサイズ、分割領域の数、分割領域の形状、等も特に限定されない。例えば、分割領域の数は、２５個より多くても少なくてもよい。分割領域のサイズは、画像データの１画素に相当するサイズ、画像データの２つ以上の画素に相当するサイズ、画像表示装置１１０の１表示素子に相当するサイズ、画像表示装置１１０の２つ以上の表示素子に相当するサイズ、等であってもよい。分割領域の形状は、三角形、四角形、五角形、六角形、八角形、円形、等であってもよい。複数の分割領域の間で、分割領域のサイズ、分割領域の数、分割領域の形状、等が異なっていてもよい。
【００２１】
そして、情報処理装置１００は、指定操作をユーザーに行わせる。指定操作は、選択領域の表示光量が非選択領域の表示光量に応じた光量であるか否かに関する指定を行うユーザー操作である。「非選択領域の表示光量に応じた光量」は特に限定されないが、本実施形態では、「非選択領域の表示光量に応じた光量」が「非選択領域の表示光量に略一致する光量」である例を説明する。本実施形態において、「略一致」は「完全一致」を含む。そして、情報処理装置１００は、指定操作の結果を取得する（第２取得）。上述したように、第２制御により、選択領域と非選択領域の少なくとも一方の表示光量が変化する。そのため、第２制御により、選択領域の表示光量と非選択領域の表示光量との差を低減することができる。本実施形態では、第２制御が行われた状態に基づく指定操作の結果が取得される。具体的には、情報処理装置１００は、第２制御が行われた状態で、指定操作をユーザーに行わせる。そして、情報処理装置１００は、第２制御が行われた状態で行われた指定操作の結果を取得する。
【００２２】
次に、情報処理装置１００は、第２制御による変更後の目標光量と、指定操作の結果とに基づいて、選択領域の表示光量を判断する。
【００２３】
上述したように、本実施形態では、画像表示装置１１０は液晶表示装置である。図１に示すように、画像表示装置１１０は、表示パネルである液晶パネル１１１と、発光部であるバックライトモジュール１１２とを有する。透過型表示装置では、表示パネルの透過率と、発光部の発光量との少なくとも一方を変更することにより、表示光量を変更することができる。自発光型表示装置では、自発光素子である表示素子の発光量を変更することにより、表示光量を変更することができる。
【００２４】
液晶パネル１１１は、バックライトモジュール１１２からの光を透過する複数の表示素子として、複数の液晶素子を有する。各表示素子が有する液晶素子の数は特に限定されない。本実施形態では、画像表示装置１１０は、モノクロ画像を表示するモノクロ表示装置
である。しかしながら、画像表示装置１１０として、カラー画像を表示可能なカラー表示装置が使用されてもよい。画像表示装置１１０がカラー表示装置である場合には、各表示素子は、複数の色にそれぞれ対応する複数のサブ表示素子を有する。例えば、各表示素子は、赤色の表示を行うＲ表示素子、緑色の表示を行うＧ表示素子、及び、青色の表示を行うＢ表示素子の３種類のサブ表示素子を有する。Ｒ表示素子、Ｇ表示素子、及び、Ｂ表示素子が液晶素子である場合には、Ｒ表示素子は入射した光の赤色成分を透過し、Ｇ表示素子は入射した光の緑色成分を透過し、Ｂ表示素子は入射した光の青色成分を透過する。
【００２５】
液晶素子の構造は特に限定されない。例えば、液晶素子として、ＩＰＳ（Ｉｎ  Ｐｌａｎｅ  Ｓｗｉｔｃｈｉｎｇ）方式の液晶素子、ＶＡ（Ｖｅｒｔｉｃａｌ  Ａｌｉｇｎｍｅｎｔ）方式の液晶素子、ＰＤＬＣ（Ｐｏｌｙｍｅｒ  Ｄｉｓｐｅｒｓｅｄ  Ｌｉｑｕｉｄ
Ｃｒｙｓｔａｌ：高分子分散型液晶）、等を使用することができる。
【００２６】
液晶素子の特性、液晶素子の透過率の制御方法、等も特に限定されない。例えば、１００階調の値（１〜１００％の値）を有する液晶駆動信号を液晶素子に供給（入力）することにより、液晶素子の透過率が、所定のガンマカーブに従って、液晶駆動信号に対応する透過率Ｘ％に制御される。ガンマカーブは、液晶駆動信号の値と透過率との対応関係を表すカーブ（関数）であり、所定のガンマカーブは、例えば、ガンマ値＝２．２のガンマカーブである。液晶素子の透過率がＸ％に制御された場合、液晶素子に照射された光のＸ％の光が液晶素子を透過する。液晶素子の透過率が１００％に制御された場合には、液晶素子に照射された光の略全てが液晶素子を透過する。液晶駆動信号の階調は特に限定されないが、本実施形態では、液晶駆動信号の値は１００階調の値（１〜１００％）である。また、所定のガンマカーブは特に限定されないが、本実施形態では、所定のガンマカーブはガンマ値＝１．０のガンマカーブである。
【００２７】
バックライトモジュール１１２は、液晶パネル１１１の背面に光を照射する発光部である。バックライトモジュール１１２の構造は特に限定されない。例えば、バックライトモジュール１１２は、直下型バックライトモジュールであってもよいし、サイドライト型（エッジ型）バックライトモジュールであってもよい。直下型バックライトモジュールは、液晶パネル１１１と対向する光源を有するバックライトモジュールである。サイドライト型バックライトモジュールは、光源からの光を液晶パネル１１１の側に導く導光部材（導光板）を有するバックライトモジュールである。
【００２８】
バックライトモジュール１１２は、１つ以上の光源を有する。光源は、１つ以上の発光素子を有する。発光素子としては、発光ダイオード（ＬＥＤ）、有機ＥＬ素子、冷陰極管（ＣＣＦＬ）、プラズマ素子、等を使用することができる。発光素子に供給する光源駆動信号（電圧または電流）の大きさ、光源駆動信号を発光素子に供給する時間、等を変更することにより、発光素子の発光量を変更することができる。
【００２９】
本実施形態では、バックライトモジュール１１２は、複数の分割領域にそれぞれ対応する複数の光源（部分発光部）を有する。情報処理装置１００は、各光源の発光量を個別に制御できる。また、本実施形態では、発光量の単位として「％」を使用する。発光量の上限値は１００％であり、発光量の下限値は０％である。光源の発光量＝０％は、光源が消灯している状態に対応する。なお、情報処理装置１００は、各光源の発光量を個別に制御できず、全ての光源の発光量を一括して制御してもよい。
【００３０】
本実施形態では、光源として、白色の光を発する白色光源が使用される。なお、光源の発光色が変更可能であってもよい。例えば、発光色が互いに異なる複数の発光素子を光源が有していれば、各発光素子の発光量を個別に変更することにより、光源の発光色を変更することができる。ここで、赤色の光を発するＲ発光素子、緑色の光を発するＧ発光素子
、及び、青色の光を発するＢ発光素子の３種類の発光素子を光源が有する場合を考える。この場合には、Ｒ発光素子の発光量、Ｇ発光素子の発光量、及び、Ｂ発光素子の発光量のバランス（比率）を変更することにより、光源の発光色を変更することができる。
【００３１】
図３（Ａ）〜３（Ｃ），４（Ａ）〜４（Ｃ），５（Ａ）〜５（Ｃ）を用いて、液晶パネル１１１の透過率、バックライトモジュール１１２の発光量、及び、画像表示装置１１０の表示光量の対応関係について説明する。図３（Ａ）〜３（Ｃ），４（Ａ）〜４（Ｃ），５（Ａ）〜５（Ｃ）のそれぞれにおいて、２５個の領域は、図２の２５個の分割領域２０１〜２２５にそれぞれ対応する。図３（Ａ），４（Ａ），５（Ａ）は、各分割領域における液晶パネル１１１の透過率を示す。図３（Ｂ），４（Ｂ），５（Ｂ）は、各分割領域におけるバックライトモジュール１１２の発光量を示す。図３（Ｃ），４（Ｃ），５（Ｃ）は、各分割領域における画像表示装置１１０の表示光量を示す。図３（Ｃ），４（Ｃ），５（Ｃ）の表示光量は、液晶パネル１１１の透過率にバックライトモジュール１１２の発光量を乗算した値である。
【００３２】
図３（Ａ）〜３（Ｂ）は、全ての分割領域の目標光量として５０％が使用された場合の例を示す。図３（Ａ）では、全ての分割領域において、液晶パネル１１１の透過率が上限値（１００％）に制御されている。図３（Ｂ）では、全ての分割領域において、バックライトモジュール１１２の発光量が上限値の半分の値（５０％）に制御されている。そのため、図３（Ｃ）に示すように、全ての分割領域において、画像表示装置１１０の表示光量が５０％に制御される。
【００３３】
本実施形態では、バックライトモジュール１１２が有する光源からの光は、当該光源に対応する分割領域にのみ影響を及ぼし、他の分割領域には影響を及ぼさない。即ち、光源からの光は、当該光源に対応する分割領域にのみ照射され、他の分割領域へは漏れない。そのため、図３（Ｂ），４（Ｂ），５（Ｂ）の発光量は、「バックライトモジュール１１２が有する各光源の発光量」と言える。しかしながら、光源からの光は、当該光源に対応する分割領域と、他の分割領域（周囲の分割領域）とに影響を及ぼしてもよい。その場合には、影響量を考慮した計算を行うことにより、バックライトモジュール１１２の部分的な発光量の制御を高精度に行うことができる。その結果、画像表示装置１１０の部分的な表示光量の制御を高精度に行うことができる。
【００３４】
光源からの光が他の分割領域に影響を及ぼす例について、図１０（Ａ）〜１０（Ｃ）を用いて説明する。図１０（Ａ）は、１つの光源を点灯させた場合におけるバックライトモジュール１１２の発光量の分布を示す。具体的には、図１０（Ａ）は、分割領域２１３に対応する光源のみを発光量＝５０％で点灯させた場合の分布を示す。図１０（Ａ）から、分割領域２１３の左右方向に隣接する分割領域２１２，２１４の発光量が、分割領域２１３に対応する光源からの光によって２５％だけ高められることがわかる。他の光源を点灯させた場合にも、同様の分布が得られる。この場合には、図１０（Ｂ）に示すように各光源の発光量を制御すればよい。それにより、図１０（Ｃ）に示すように、バックライトモジュール１１２の発光量の分布として、均一な発光量の分布を得ることができる。図１０（Ｃ）では、全ての分割領域において、バックライトモジュール１１２の発光量＝５０％が得られている。バックライトモジュール１１２の発光量を均一にすることにより、表示光量を均一にすることができる。なお、バックライトモジュール１１２の発光量を均一にできない場合には、液晶パネル１１１の透過率を部分的に調整することにより、表示光量を均一にすることができる。
【００３５】
図４（Ａ）〜４（Ｂ）は、全ての分割領域の目標光量として０．５％が使用された場合の例を示す。図４（Ａ）では、全ての分割領域において、液晶パネル１１１の透過率が下限値（１％）に制御されている。図４（Ｂ）では、全ての分割領域において、バックライ
トモジュール１１２の発光量が５０％に制御されている。そのため、図４（Ｃ）に示すように、全ての分割領域において、画像表示装置１１０の表示光量が０．５％に制御される。このように、液晶パネル１１１の透過率を変更することにより、画像表示装置１１０の表示光量を変更することができる。同様に、バックライトモジュール１１２の発光量を変更することにより、画像表示装置１１０の表示光量を変更することができる。なお、液晶パネル１１１の透過率の下限値は１％より大きくても小さくてもよい。一般的に、液晶パネル１１１はバックライトモジュール１１２からの光を完全に遮断することはできないため、液晶パネル１１１の透過率の下限値は０％よりも大きい。
【００３６】
図５（Ａ）〜５（Ｂ）は、全ての分割領域の目標光量として０．５％が使用された場合の例を示す。図５（Ａ）では、図４（Ａ）の液晶駆動信号と同じ液晶駆動信号が使用される。しかしながら、図５（Ａ）では、液晶パネル１１１の透過率のムラが生じている。具体的には、図５（Ａ）では、分割領域２０２，２０３の透過率が５％に制御されている。換言すれば、分割領域２０２，２０３の透過率の下限値が１％から５％に増加している。このような透過特性（透過率の下限値など）の変化は、例えば、液晶素子にかかる応力の変化などによって生じる。他の分割領域の透過率は、図４（Ａ）と同様に、１％に制御されている。図５（Ｂ）では、図４（Ｂ）と同様に、全ての分割領域において、バックライトモジュール１１２の発光量が５０％に制御されている。そのため、画像表示装置１１０の表示ムラが生じる。具体的には、図５（Ｃ）に示すように、表示光量のムラである光量ムラが生じる。図５（Ｃ）では、分割領域２０２，２０３の表示光量が２．５％であり、且つ、他の分割領域の表示光量が５％である光量ムラが生じている。
【００３７】
なお、表示ムラとして、表示輝度（画面の輝度；画像表示装置の発光輝度）のムラである輝度ムラ、表示色（画面の色；画像表示装置の発光色）のムラである色ムラ、等が生じることもある。また、バックライトモジュール１１２の発光量のムラによって表示ムラが生じることもある。
【００３８】
次に、情報処理装置１００の機能部について説明する。図１に示すように、情報処理装置１００は、光量制御部１２０、選択結果取得部１３０、制御部１４０、光量判断部１５０、指定結果取得部１６０、及び、記憶部１７０を有する。なお、情報処理装置１００は、光量制御部１２０、選択結果取得部１３０、制御部１４０、光量判断部１５０、指定結果取得部１６０、及び、記憶部１７０のそれぞれは、個別のハードウェアであってもよいし、そうでなくてもよい。２つ以上の機能部の機能が、共通のハードウェアによって実現されてもよい。
【００３９】
制御部１４０は、情報処理装置１００の各機能部の処理を制御する。制御部１４０としては、例えば、ＣＰＵ（Ｃｅｎｔｒａｌ  Ｐｒｏｃｅｓｓｉｎｇ  Ｕｎｉｔ）が使用される。
【００４０】
光量制御部１２０は、制御部１４０からの指示に応じて、画像表示装置１１０の表示光量を制御する。従って、上述した第１制御や第２制御は、光量制御部１２０によって行われる。本実施形態では、光量制御部１２０は、液晶パネル１１１の透過率と、バックライトモジュール１１２の発光量との少なくとも一方を制御することにより、画像表示装置１１０の表示光量を制御する。具体的には、光量制御部１２０は、目標光量に応じた駆動信号（液晶駆動信号と光源駆動信号）を用いて、液晶パネル１１１の各表示素子（各液晶素子）の透過率と、バックライトモジュール１１２の各光源の発光量とを制御する。
【００４１】
液晶パネル１１１の各表示素子が、Ｒ表示素子、Ｇ表示素子、及び、Ｂ表示素子の３つの液晶素子を有する場合には、例えば、光量制御部１２０により、各Ｒ表示素子の透過率、各Ｇ表示素子の透過率、及び、各Ｂ表示素子の透過率が制御される。バックライトモジ
ュール１１２の各光源が、Ｒ発光素子、Ｇ発光素子、及び、Ｂ発光素子の３種類の発光素子を有する場合には、例えば、光量制御部１２０により、各Ｒ発光素子の発光量、各Ｇ発光素子の発光量、及び、各Ｂ発光素子の発光量が制御される。
【００４２】
なお、目標光量として、光の色（波長）をさらに示す値が使用されてもよい。例えば、目標光量は、複数の波長にそれぞれ対応する複数の光量を示してもよい。具体的には、目標光量は、赤色の光量、緑色の光量、及び、青色の光量を示してもよい。その場合には、目標光量が示す色に応じて、Ｒ表示素子の液晶駆動信号、Ｇ表示素子の液晶駆動信号、及び、Ｂ表示素子の液晶駆動信号が個別に決定されてもよい。目標光量が示す色に応じて、Ｒ発光素子の光源駆動信号、Ｇ発光素子の光源駆動信号、及び、Ｂ発光素子の光源駆動信号が個別に決定されてもよい。
【００４３】
上述したように、本実施形態では、画像表示装置１１０はモノクロ表示装置であり、光源の発光色が白色である。そのため、本実施形態では、複数種類のサブ表示素子（Ｒ表示素子、Ｇ表示素子、及び、Ｂ表示素子）と、複数種類の発光素子（Ｒ発光素子、Ｇ発光素子、及び、Ｂ発光素子）とについては考慮しない。しかしながら、以下の説明の「光量」を「赤色の光の光量」、「緑色の光の光量」、「青色の光の光量」、等と読み替えた処理が行われれば、様々な色の表示ムラに対応した処理を実現することができる。
【００４４】
選択結果取得部１３０は、上述した選択操作の結果を示す選択結果情報を取得し、取得した選択結果情報を制御部１４０に通知する。例えば、ユーザーに触れられた位置を検出するタッチパネル（接触センサ）が画像表示装置１１０の画面に設けられており、タッチパネルに触れて領域を選択する選択操作が行われる。そして、選択結果取得部１３０は、タッチパネルを用いて行われた選択操作の結果を示す選択結果情報を、画像表示装置１１０から取得する。なお、選択操作は、タッチパネルを用いたユーザー操作に限られない。例えば、選択操作は、マウスなどの他のユーザインタフェースを用いたユーザー操作であってあってもよい。また、選択結果情報の取得方法は特に限定されない。例えば、選択結果取得部１３０は、画像表示装置１１０とは異なる装置（マウスなど）から選択結果情報を取得してもよい。選択結果取得部１３０は、ユーザーが指定した位置を示す位置情報を外部から取得し、選択領域を示す選択結果情報を位置情報に基づいて生成してもよい。
【００４５】
指定結果取得部１６０は、上述した指定操作の結果を示す指定結果情報を取得し、取得した指定結果情報を制御部１４０に通知する。例えば、押圧型スイッチが画像表示装置１１０に設けられており、押圧型スイッチを押下する指定操作が行われる。そして、指定結果取得部１６０は、押下型スイッチの状態を示す指定結果情報を、画像表示装置１１０から取得する。なお、画像表示装置１１０は、押下型スイッチが押下された場合にだけ指定結果情報を出力してもよいし、押下型スイッチが押下されなかった場合にだけ指定結果情報を出力してもよいし、それら両方の場合に指定結果情報を出力してもよい。また、指定操作は、押下型スイッチの押下に限られない。例えば、指定操作は、タッチパネル、マウス、等の他のユーザインタフェースを用いたユーザー操作であってあってもよい。また、指定結果情報の取得方法は特に限定されない。例えば、指定結果取得部１６０は、画像表示装置１１０とは異なる装置（マウス、情報処理装置１００に設けられた押下型スイッチ、等）から指定結果情報を取得してもよい。指定結果取得部１６０は、ユーザーが指定した位置を示す位置情報を外部から取得し、位置情報に基づいて指定結果情報を生成してもよい。
【００４６】
記憶部１７０は、予め定められた関係情報を記憶する。本実施形態では、関係情報は、表示光量と表示輝度との対応関係を表す。具体的には、関係情報は、液晶駆動信号、光源駆動信号、及び、表示輝度の対応関係を表す。例えば、液晶パネル１１１の透過率を１％に制御することが想定された液晶駆動信号と、バックライトモジュール１１２の発光量を
５０％に制御することが想定された光源駆動信号との組み合わせに対して、表示輝度＝１ｃｄ／ｍ２が対応付けられている。液晶パネル１１１の透過率を１００％に制御することが想定された液晶駆動信号と、バックライトモジュール１１２の発光量を５０％に制御することが想定された光源駆動信号との組み合わせに対して、表示輝度＝１００ｃｄ／ｍ２が対応付けられている。記憶部１７０としては、不揮発性メモリ、磁気ディスク、光ディスク、等を使用することができる。
【００４７】
なお、関係情報のフォーマットは特に限定されない。関係情報として、テーブルが使用されてもよいし、関数が使用されてもよい。また、記憶部１７０は、情報処理装置１００に内蔵された記憶装置であってもよいし、情報処理装置１００に対して着脱可能な記憶装置であってもよい。また、関係情報は、変更不可能な情報であってもよいし、変更可能な情報であってもよい。例えば、制御部１４０が関係情報を適宜変更してもよい。具体的には、以下で述べる処理により、液晶駆動信号と光源駆動信号の組み合わせに対応する表示光量が変化した場合に、制御部１４０が、当該組み合わせに対応付けられた表示輝度を、変化後の表示光量に対応する表示輝度に変更してもよい。
【００４８】
光量判断部１５０は、制御部１４０からの指示応じて、選択領域の表示光量を判断する。表示光量を判断することにより、光量ムラを判断することができる。上述したように、光量判断部１５０は、第２制御による変更後の目標光量と、指定操作の結果とに基づいて、選択領域の表示光量を判断する。光量判断部１５０は、記憶部１７０に記録された関係情報を用いて、表示光量から表示輝度を判断することもできる。例えば、光量判断部１５０は、選択領域の表示光量の判断結果に基づいて、選択領域の表示輝度を判断することができる。ひいては、輝度ムラを判断することができる。
【００４９】
情報処理装置１００の処理フローの一例について、図６のフローチャートを用いて説明する。図６の処理フローは、例えば、情報処理装置１００の動作モードとして所定の動作モードを設定するユーザー操作に応じて開始される。所定の動作モードは、光量ムラを判断（検出）する動作モード、光量ムラの原因となる表示光量を判断する動作モード、表示光量が目標光量と異なる領域における表示光量を判断する動作モード、等である。そして、図６の処理フローは、例えば、選択領域の表示光量が判断されたことに応じて終了される。
【００５０】
まず、Ｓ６０１にて、制御部１４０は、第１制御の実行を光量制御部１２０に指示する。光量制御部１２０は、制御部１４０からの指示に応じて第１制御を実行する。本実施形態では、第１制御により、基準目標光量に応じて（基準目標光量を目標光量として用いて）、各分割領域の表示光量が制御される。本実施形態では、基準目標光量として０．５％が使用される。また、本実施形態では、第１制御により、液晶パネル１１１の各液晶素子の透過率が、同じ液晶駆動信号で制御される。具体的には、第１制御により、液晶パネル１１１の各液晶素子の透過率が、下限値に制御される。そして、第１制御により、バックライトモジュール１１２の各光源の発光量が、同じ光源駆動信号で制御される。即ち、図４（Ａ）〜図４（Ｃ）の状態の実現を想定した駆動信号（液晶駆動信号と光源駆動信号）が使用される。ここでは、図５（Ａ）に示す透過率のムラと、図５（Ｃ）に示す表示光量のムラとが生じた場合の例を説明する。
【００５１】
なお、基準目標光量は特に限定されない。例えば、基準目標光量は０．５％より大きくても小さくてもよい。基準目標光量として、目標光量の下限値が使用されてもよい。目標光量の下限値は特に限定されないが、例えば、目標光量の下限値は０％よりも大きい。第１制御では、液晶素子の透過率が下限値より大きい値に制御されてもよい。第１制御では、複数の液晶素子の間で液晶駆動信号が異なっていてもよいし、複数の光源の間で光源駆動信号が異なっていてもよい。
【００５２】
なお、第１制御では、基準目標光量に基づいて、基準目標光量とは異なる目標光量を決定し、決定した目標光量に応じて、各分割領域の表示光量が制御されてもよい。例えば、基準目標光量よりも多い目標光量が決定され、基準目標光量に応じた発光量よりも多い発光量に、各光源の発光量が制御されてもよい。それにより、表示光量のムラを目立たせることができる。図９（Ａ）〜９（Ｃ）は、基準目標光量（０．５％）よりも多い目標光量（１％）が使用された場合の例を示す。図９（Ａ）は、図５（Ａ）と同じである。図９（Ｂ）は、各光源の発光量を示す。図９（Ｂ）では、各光源の発光量が、図４（Ｂ），５（Ｂ）の２倍の発光量（１００％）に制御されている。その結果、図９（Ｃ）に示すように、分割領域２０２，２０３の表示光量と、他の分割領域の表示光量との差を、図５（Ｃ）の２倍に高めることができる。但し、分割領域２０２，２０３の表示光量として、基準目標光量に対応する表示光量を判断する際には、目標光量を基準目標光量の２倍に高めたこと、各光源の発光量を２倍に高めたこと、等を考慮する必要がある。図９（Ａ）には、図５（Ａ）と同じ液晶駆動信号が使用された場合の例が示されているが、図５（Ａ）と異なる液晶駆動信号が使用されてもよい。液晶駆動信号（液晶パネル１１１の透過率）は特に限定されない。基準目標光量に応じた発光量よりも多い発光量にバックライトモジュール１１２の発光量が制御されれば、表示光量のムラを目立たせることができる。
【００５３】
次に、Ｓ６０２にて、制御部１４０は、Ｓ６０１の第１制御が行われた状態で、選択操作の実行をユーザーに促す。具体的には、制御部１４０は、タッチパネルの機能を有効化し、選択操作を行わせるためのアナウンスを行う。アナウンスの実行として、例えば、画像の表示、音声の出力、ランプの点灯、等が行われる。アナウンス後に所定時間（５秒、１０秒、３０秒、１分、５分、等）だけ待っても選択操作が行われなかった場合には、制御部１４０は、光量ムラが発生していないと判断する。例えば、制御部１４０は、全ての分割領域において目標光量の表示が行われたと判断する。そして、本処理フローが終了される。アナウンスに応じて選択操作が行われた場合には、選択結果取得部１３０は、行われた選択操作の結果を示す選択結果情報を取得し、取得した選択結果情報を制御部１４０に出力する。そして、Ｓ６０３へ処理が進められる。ここでは、図５（Ｃ）に示す光量ムラが発生しているため、例えば、分割領域２０２，２０３を選択する選択操作が行われ、分割領域２０２，２０３を示す選択結果情報が取得される。
【００５４】
Ｓ６０３にて、制御部１４０は、第２制御の実行を光量制御部１２０に指示する。光量制御部１２０は、制御部１４０からの指示に応じて第２制御を実行する。本実施形態では、第２制御により、非選択領域（Ｓ６０２で選択されなかった領域）の目標光量が繰り返し変更される。具体的には、非選択領域の目標光量が５％ずつ高められる。その結果、例えば、図５（Ｃ）の分布、図７（Ａ）の分布、図７（Ｂ）の分布、図７（Ｃ）の分布、図７（Ｄ）の分布、図７（Ｅ）の分布の順に、表示光量の分布が変化する。
【００５５】
なお、非選択領域は、Ｓ６０２で選択されなかった領域全体であってもよいし、Ｓ６０２で選択されなかった領域の一部であってもよい。目標光量の１回の変化量は５％より大きくても小さくてもよい。非選択領域の目標光量を低減することで、非選択領域の表示光量が選択領域の表示光量に近づくこともある。そのため、第２制御により、非選択領域の目標光量が低減されてもよい。上述したように、液晶パネル１１１の透過率と、バックライトモジュール１１２の発光量との少なくとも一方を変更することにより、画像表示装置１１０の表示光量を変更することができる。第２制御では、液晶パネル１１１の透過率のみが変更されてもよいし、バックライトモジュール１１２の発光量のみが変更されてもよい。液晶パネル１１１の透過率と、バックライトモジュール１１２の発光量との両方が変更されてもよい。表示光量が変更されれば、どのような方法で表示光量が変更されてもよい。
【００５６】
なお、第２制御の方法は上記方法に限られない。例えば、第２制御により、非選択領域における複数の部分領域にそれぞれ対応する複数の目標光量として、互いに異なる複数の光量が設定されてもよい。部分領域は、非選択領域の一部の領域である。
【００５７】
図８（Ａ）〜８（Ｃ）は、分割領域２１１〜２１５の目標光量が０．５％から変更された場合の例を示す。具体的には、分割領域２１１の目標光量として０．１％が、分割領域２１２の目標光量として１．０％が、分割領域２１３の目標光量として１．５％が設定されている。そして、分割領域２１４の目標光量として２．０％が、分割領域２１５の目標光量として２．５％が設定されている。図８（Ａ）は、各分割領域における液晶パネル１１１の透過率を示す。図８（Ａ）では、分割領域２１２の透過率が２％へ、分割領域２１３の透過率が３％へ、分割領域２１４の透過率が４％へ、分割領域２１５の透過率が１０％へ高められている。図８（Ｂ）は、各分割領域におけるバックライトモジュール１１２の発光量を示す。図８（Ｂ）では、分割領域２１１の発光量が１０％へ、分割領域２１５の発光量が２５％へ低減されている。この場合には、各分割領域の表示光量として、図８（Ｃ）に示す表示光量が得られる。図８（Ｃ）では、分割領域２１１の表示光量が０．１％へ低減されている。そして、分割領域２１２の表示光量が１．０％へ、分割領域２１３の表示光量が１．５％へ、分割領域２１４の表示光量が２．０％へ、分割領域２１５の表示光量が２．５％へ高められている。
【００５８】
なお、図８（Ａ）〜８（Ｃ）では部分領域として分割領域が使用されているが、分割領域とは異なる領域が部分領域として使用されてもよい。例えば、２つ以上の分割領域からなる領域が、部分領域として使用されてもよい。部分領域のサイズと部分領域の形状は特に限定されない。図８（Ａ）〜８（Ｃ）では水平方向に並んだ５つの部分領域が使用されているが、部分領域の配置、部分領域の数、等も特に限定されない。例えば、複数の部分領域が垂直方向に並んでいてもよい。複数の部分領域の間で、部分領域のサイズ、部分領域の数、部分領域の形状、等が異なっていてもよい。
【００５９】
なお、図８（Ａ）〜８（Ｃ）では、部分領域の目標光量の低下と、部分領域の目標光量の増加とが行われているが、部分領域の目標光量の低下と、部分領域の目標光量の増加との一方のみが行われてもよい。部分領域の目標光量が繰り返し変更されてもよい。
【００６０】
次に、Ｓ６０４にて、制御部１４０は、Ｓ６０３の第２制御が行われた状態で、指定操作の実行をユーザーに促す。具体的には、制御部１４０は、スイッチ（押圧型スイッチ）の機能を有効化し、非選択領域の表示光量が選択領域の表示光量に近づいた場合にスイッチを押下させるためのアナウンスを行う。アナウンスに応じてスイッチが押下された場合には、指定結果取得部１６０は、スイッチが押下されたことを示す指定結果情報を取得し、取得した指定結果情報を制御部１４０に出力する。そして、非選択領域の表示光量を選択領域の表示光量にさらに近づけることが可能かの判断のため、Ｓ６０３へ処理が戻される。そのため、スイッチが押下される度に、非選択領域の目標光量（および表示光量）が変更される。アナウンス後に所定時間（５秒、１０秒、３０秒、１分、５分、等）だけ待ってもスイッチが押下されなかった場合には、制御部１４０は、前回の状態が所望の状態であると判断する。そして、Ｓ６０５へ処理が進められる。所望の状態は、選択領域の目標光量が第１制御の目標光量であり、且つ、選択領域の表示光量が非選択領域の表示光量に略一致する状態である。例えば、所望の状態は、非選択領域の表示光量が選択領域の表示光量に最も近い状態である。
【００６１】
Ｓ６０３とＳ６０４の処理の具体例について説明する。まず、Ｓ６０３の処理により、表示光量の分布が図５（Ｃ）の分布から図７（Ａ）の分布に変化する。その結果、選択領域（分割領域２０２，２０３）の表示光量と、非選択領域（分割領域２０１，２０４〜２２５）の表示光量との差（表示光量差）が、２．０％から１．５％に減少する。そのため
、Ｓ６０４にてスイッチが押下され、Ｓ６０３の処理が再び行われる。その結果、表示光量の分布が図７（Ａ）の分布から図７（Ｂ）の分布に変化し、表示光量差が１．５％から１．０％に減少する。そのため、Ｓ６０４にてスイッチが押下され、Ｓ６０３の処理が再び行われる。このように、Ｓ６０３とＳ６０４の処理が繰り返し行われ、図５（Ｃ）の分布、図７（Ａ）の分布、図７（Ｂ）の分布、図７（Ｃ）の分布、図７（Ｄ）の分布、図７（Ｅ）の分布の順に、表示光量の分布が変化する。しかしながら、表示光量の分布が図７（Ｄ）の分布から図７（Ｅ）の分布に変化すると、表示光量との差（表示光量差）が０％から０．５％に増加する。そのため、表示光量の分布が図７（Ｄ）の分布から図７（Ｅ）の分布に変化した場合には、Ｓ６０４にてスイッチは押下されず（タイムアウト）、図７（Ｄ）の分布が実現される状態が所望の状態であると判断され、Ｓ６０５へ処理が進められる。
【００６２】
なお、指定操作は、非選択領域の表示光量が選択領域の表示光量に近づいた場合に行われるスイッチの押下に限られない。例えば、指定操作は、非選択領域の表示光量が選択領域の表示光量に略一致するとユーザーが知覚した場合に行われるスイッチの押下であってもよい。また、図８（Ａ）〜８（Ｃ）を用いて説明した処理が行われる場合には、指定操作として、複数の部分領域の中から、表示光量が選択領域の表示光量に最も近い部分領域を選択するユーザー操作が行われてもよい。その場合には、選択領域と、選択された部分領域との間で上記所望の状態が実現されていると判断すればよい。同じ部分領域が続けて選択されるまで、選択されなかった部分領域の目標光量（および表示光量）が繰り返し変更されてもよい。その場合には、選択領域と、続けて選択された部分領域との間で上記所望の状態が実現されていると判断すればよい。
【００６３】
Ｓ６０５にて、制御部１４０は、光量判断の実行を光量判断部１５０に指示する。例えば、制御部１４０は、スイッチが押下されなかった場合に、上記所望の状態における非選択領域の目標光量（第２制御による変更後の目標光量）を、光量判断部１５０に通知する。そして、光量判断部１５０は、制御部１４０からの指示に応じて、所望の状態における非選択領域の目標光量を判断する。即ち、第２制御による変更後の目標光量と、指定操作の結果とに基づいて、所望の状態における非選択領域の目標光量が判断される。そして、光量判断部１５０は、第１制御の目標光量に対応する選択領域の表示光量が、判断した非選択領域の目標光量に応じた光量である、と判断する。「非選択領域の目標光量に応じた光量」は特に限定されないが、本実施形態では、「非選択領域の目標光量に応じた光量」が「非選択領域の目標光量に略一致する光量」である例を説明する。ここでは、非選択領域の目標光量が２．５％である図７（Ｄ）の分布が、所望の状態に対応する。そのため、第１制御の目標光量０．５％に対応する選択領域の表示光量は２．５％である、と判断される。
【００６４】
なお、光量判断部１５０は、判断した非選択領域の目標光量に基づいて、第１制御の目標光量とは異なる目標光量に対応する選択領域の表示光量を判断してもよい。光量判断部１５０は、記憶部１７０に記録された関係情報を用いて、選択領域の表示光量から選択領域の表示輝度をさらに判断してもよい。例えば、関係情報において表示光量２．５％に表示輝度２．５ｃｄ／ｍ２が対応付けられている場合には、選択領域の表示光量２．５％から、第１制御の目標光量０．５％に対応する選択領域の表示輝度が２．５ｃｄ／ｍ２である、と判断することができる。
【００６５】
以上述べたように、本実施形態では、選択操作（領域の選択）、指定操作（表示光量差の有無に関する指定）、等のユーザー操作が行われる。そして、情報処理として、目標光量に基づく表示光量の制御、目標光量と選択操作に基づく表示光量の制御、目標光量と指定操作の結果とに基づく表示光量の判断、等の情報処理が行われる。それにより、表示光量を容易且つ高精度に判断することができる。具体的には、画面の撮像結果、画面からの
光の測定結果、等が使用されない。そのため、外光（画面からの光とは異なる光）が表示光量の判断結果に影響を及ぼすことはなく、表示光量を高精度に判断することができる。また、本実施形態で行われる上記ユーザー操作と上記情報処理には、装置の位置の工夫、環境の工夫、補助部材の使用、等は必要ない。そのため、表示光量を容易に判断することができる。
【００６６】
なお、本実施形態では、第２制御として、非選択領域の目標光量を変更する制御が行われる例を説明したが、第２制御はこれに限られない。例えば、第２制御として、選択領域の目標光量を変更する制御が行われてもよい。第２制御により、選択領域の目標光量が繰り返し変更されてもよい。その場合にも、上述した方法と同様の方法で、所望の状態、所望の状態に対応する目標光量、等を判断することができる。但し、この場合には、所望の状態は、非選択領域の目標光量が第１制御の目標光量であり、且つ、選択領域の表示光量が非選択領域の表示光量に応じた光量である状態である。
【００６７】
例えば、光量判断部１５０は、第２制御による変更後の目標光量と、指定操作の結果とに基づいて、上記所望の状態における選択領域の目標光量を判断する。そして、光量判断部１５０は、第１制御の目標光量に対応する選択領域の表示光量が、判断した目標光量と第１制御の目標光量と差に基づいて第１制御の目標光量を変更した光量に応じた光量である、と判断する。「第１制御の目標光量を変更した光量に応じた光量」は特に限定されないが、例えば、「第１制御の目標光量を変更した光量に応じた光量」は「第１制御の目標光量を変更した光量に略一致する光量」である。ここで、第１制御の目標光量が２．５％であり、且つ、選択領域の目標光量を１％に低減する第２制御により所望の状態が実現された場合を考える。この場合には、例えば、目標光量２．５％に対応する選択領域の表示光量が、光量４％（＝２．５％＋（２．５％−１％））に略一致する、と判断される。
【００６８】
第２制御として、選択領域の目標光量と、非選択領域の目標光量との両方を変更する制御が行われてもよい。第２制御により、選択領域の目標光量と、非選択領域の目標光量とが繰り返し変更されてもよい。その場合には、所望の状態は、選択領域の目標光量も非選択領域の目標光量も第２制御による変更後の目標光量であり、且つ、選択領域の表示光量が非選択領域の表示光量に応じた光量である状態である。そして、第１制御の目標光量、所望の状態における非選択領域の目標光量、及び、所望の状態における選択領域の目標光量に基づいて、第１制御の目標光量に対応する選択領域の表示光量を判断することができる。
【００６９】
なお、本実施形態では、表示光量と表示輝度との対応関係を表す関係情報が使用されたが、表示光量と表示色との対応関係を表す関係情報が使用されてもよい。例えば、光量（目標光量、発光部の発光量、表示光量、等）として、複数の波長にそれぞれ対応する複数の光量が使用されてもよい。そして、関係情報において、画面からの光の主波長、画面からの光のＸＹＺ三刺激値、等が、表示色として、表示光量に対応付けられていてもよい。そのような関係情報を使用することにより、選択領域の表示光量の判断結果から、選択領域の表示色を判断することができる。ひいては、色ムラを判断することができる。
【００７０】
なお、各光源を同じ光源駆動信号で駆動し、且つ、目標光量に応じて液晶パネルの透過率のみを変更する第１制御が、複数の目標光量のそれぞれについて行われてもよい。そのような処理の結果、選択領域、非選択領域、及び、表示光量差が、複数の第１制御の間で互いに等しい場合には、バックライトモジュールからの光にムラが生じていると判断することができる。
【００７１】
＜その他の実施形態＞
本発明は、上述の実施形態の１以上の機能を実現するプログラムを、ネットワーク又は
記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７２】
１００：情報処理装置  １２０：光量制御部  １３０：選択結果取得部
１４０：制御部  １５０：光量判断部  １６０：指定結果取得部
【図１】
2017142417.tif 000003
【図２】
2017142417.tif 000004
【図３】
2017142417.tif 000005
【図４】
2017142417.tif 000006
【図５】
2017142417.tif 000007
【図６】
2017142417.tif 000008
【図７】
2017142417.tif 000009
【図８】
2017142417.tif 000010
【図９】
2017142417.tif 000011
【図１０】
2017142417.tif 000012